(57)【要約】【課題】  操作性が高められたデータ取込装置およびデータ取込プログラムを提供する。【解決手段】  データを蓄積するデジタルカメラ１が機械的に接続されるＵＳＢ接続部２１４を有しそのＵＳＢ接続部２１４へのデジタルカメラ１の接続を受けてデジタルカメラ１から画像データを取り込むパーソナルコンピュータ２において、ＵＳＢ接続部２１４に接続されているデジタルカメラ１からの画像データの取込みの終了を受けてデジタルカメラ１をＵＳＢ接続部２１４から機械的に取外すことが可能なアンマウント状態に移行する。【選択図】  図１
2006209537.tif 000002
【特許請求の範囲】
【請求項１】
データを蓄積するストレージ装置が機械的に接続される接続部を有し該接続部へのストレージ装置の接続を受けて該ストレージ装置からデータを取り込むデータ取込装置において、
前記接続部に接続されているストレージ装置からのデータの取込みの終了を受けて該ストレージ装置を前記接続部から機械的に取外すことが可能なアンマウント状態に移行するアンマウント手段を有することを特徴とするデータ取込装置。
【請求項２】
前記アンマウント手段は、前記ストレージ装置からのデータの取込みの終了を受けて所定時間後にアンマウント状態に移行するものであることを特徴とする請求項１記載のデータ取込装置。
【請求項３】
前記所定時間以内の、アンマウント状態の移行を阻止するユーザ操作を受け付ける操作受付手段を有し、前記アンマウント手段は、前記ユーザ操作を受けて、アンマウント状態への移行を取り止めるものであることを特徴とする請求項２記載のデータ取込装置。
【請求項４】
データを蓄積するストレージ装置が機械的に接続される接続部とプログラムを実行するＣＰＵとを有する情報処理装置を、前記接続部へのストレージ装置の接続を受けて該ストレージ装置からデータを取り込むデータ取込装置として機能させるデータ取込プログラムにおいて、
前記情報処理装置を、前記接続部に接続されているストレージ装置からのデータの取込みの終了を受けて該ストレージ装置を前記接続部から機械的に取外すことが可能なアンマウント状態に移行するアンマウント手段を有するデータ取込装置として動作させることを特徴とするデータ取込プログラム。
【請求項５】
前記アンマウント手段は、前記ストレージ装置からのデータの取込みの終了を受けて所定時間後にアンマウント状態に移行するものであることを特徴とする請求項４記載のデータ取込プログラム。
【請求項６】
前記所定時間以内の、アンマウント状態の移行を阻止するユーザ操作を受け付ける操作受付手段を有し、前記アンマウント手段は、前記ユーザ操作を受けて、アンマウント状態への移行を取り止めるものであることを特徴とする請求項５記載のデータ取込プログラム。
【発明の詳細な説明】
【技術分野】
【０００１】
本発明は、データを蓄積するストレージ装置の接続を受けてそのストレージ装置からデータを取り込むデータ取込装置、および情報処理装置をデータ取込装置として機能させるデータ取込プログラムに関する。
【背景技術】
【０００２】
一般に、情報処理装置の１つであるパーソナルコンピュータには、ＵＳＢ（Ｕｎｉｖｅｒｓａｌ  Ｓｅｒｉａｌ  Ｂｕｓ）規格に準拠したＵＳＢコネクタが接続されるＵＳＢ接続部が備えられている。このようなパーソナルコンピュータのＵＳＢ接続部に、データを蓄積するストレージ装置（例えばデジタルカメラ）を接続してマウス等を操作し、そのデジタルカメラに備えられたメモリに蓄積されている画像データを取り込むということが行なわれている。
【０００３】
ここで、デジタルカメラが撮影モードや再生モードに設定されている状態であっても、そのデジタルカメラをプリンタに接続した時点で、そのデジタルカメラを、画像データをプリンタに送出する送出モードに自動設定する技術が提案されている（特許文献１参照）。この技術によれば、ユーザがデジタルカメラのメニュースイッチ等を操作して、画像データをプリンタに送出するモードに設定する手間を省くことができる。この技術を採用して、デジタルカメラがパーソナルコンピュータに接続された時点で、そのデジタルカメラを上記送出モードに自動設定するとともに、そのパーソナルコンピュータに画像データを自動的に取り込むということが行なわれている。
【特許文献１】特開平１０−２７１３７７号公報
【発明の開示】
【発明が解決しようとする課題】
【０００４】
しかし、デジタルカメラからパーソナルコンピュータへの画像データの取込み終了後、どのタイミングでデジタルカメラをパーソナルコンピュータから安全に取り外したらよいのかがユーザに判りにくいという問題がある。また、パーソナルコンピュータとＵＳＢ接続されるストレージ装置の中には、ストレージ装置からパーソナルコンピュータへの画像データの取込み終了後、そのストレージ装置を、そのパーソナルコンピュータから安全に取り外すためのアイコン（もしくはその旨の文字表示）をクリックする作業が必要とされるものもある。従って、ストレージ装置からパーソナルコンピュータ等のデータ取込装置へのデータの取込みにあたり、操作性が悪いという問題がある。
【０００５】
本発明は、上記事情に鑑み、操作性が高められたデータ取込装置およびデータ取込プログラムを提供することを目的とする。
【課題を解決するための手段】
【０００６】
上記目的を達成する本発明のデータ取込装置は、データを蓄積するストレージ装置が機械的に接続される接続部を有しその接続部へのストレージ装置の接続を受けてそのストレージ装置からデータを取り込むデータ取込装置において、
上記接続部に接続されているストレージ装置からのデータの取込みの終了を受けてそのストレージ装置を上記接続部から機械的に取外すことが可能なアンマウント状態に移行するアンマウント手段を有することを特徴とする。
【０００７】
本発明のデータ取込装置は、ストレージ装置からのデータの取込みの終了を受けてそのストレージ装置を上記接続部から機械的に取外すことが可能なアンマウント状態に移行するものであるため、ストレージ装置からのデータの取込み終了後、どのタイミングでストレージ装置を安全に取り外したらよいのかがユーザに判りにくいという問題が解消される。また、ストレージ装置を安全に取り外すためのアイコン等をクリックする必要もない。従って、操作性が高まる。
【０００８】
ここで、本発明のデータ取込装置における上記アンマウント手段は、上記ストレージ装置からのデータの取込みの終了を受けて所定時間後にアンマウント状態に移行するものであることが好ましい。
【０００９】
このようにすると、ユーザは、ストレージ装置からのデータの取込みの終了とアンマウント状態への移行とを確実に区別することができる。
【００１０】
また、本発明のデータ取込装置において、上記所定時間以内の、アンマウント状態の移行を阻止するユーザ操作を受け付ける操作受付手段を有し、上記アンマウント手段は、上記ユーザ操作を受けて、アンマウント状態への移行を取り止めるものであることも好ましい態様である。
【００１１】
このようにすると、ユーザは、ストレージ装置からのデータの取込みが終了した場合であっても、アンマウント状態への移行の取止めを行なうことができる。
【００１２】
また、上記目的を達成する本発明のデータ取込プログラムは、データを蓄積するストレージ装置が機械的に接続される接続部とプログラムを実行するＣＰＵとを有する情報処理装置を、上記接続部へのストレージ装置の接続を受けてそのストレージ装置からデータを取り込むデータ取込装置として機能させるデータ取込プログラムにおいて、
上記情報処理装置を、上記接続部に接続されているストレージ装置からのデータの取込みの終了を受けてそのストレージ装置を上記接続部から機械的に取外すことが可能なアンマウント状態に移行するアンマウント手段を有するデータ取込装置として動作させることを特徴とする。
【００１３】
本発明のデータ取込プログラムは、情報処理装置内で実行されてその情報処理装置を、上記本発明のデータ取込装置として動作させるものであるため、ストレージ装置からのデータの取込み終了後、どのタイミングでストレージ装置を安全に取り外したらよいのかがユーザに判りにくいという問題が解消されるとともに、ストレージ装置を安全に取り外すためのアイコン等をクリックする必要もなく、従って操作性が高まる。
【００１４】
ここで、本発明のデータ取込プログラムにおける上記アンマウント手段は、上記ストレージ装置からのデータの取込みの終了を受けて所定時間後にアンマウント状態に移行するものであることが好ましい。
【００１５】
このようにすると、ユーザは、ストレージ装置からのデータの取込みの終了とアンマウント状態への移行とを確実に区別することができる。
【００１６】
また、本発明のデータ取込プログラムにおいて、上記所定時間以内の、アンマウント状態の移行を阻止するユーザ操作を受け付ける操作受付手段を有し、上記アンマウント手段は、上記ユーザ操作を受けて、アンマウント状態への移行を取り止めるものであることも好ましい態様である。
【００１７】
このようにすると、ユーザは、ストレージ装置からのデータの取込みが終了した場合であっても、アンマウント状態への移行の取止めを行なうことができる。
【発明の効果】
【００１８】
本発明によれば、操作性が高められたデータ取込装置およびデータ取込プログラムを提供することができる。
【発明を実施するための最良の形態】
【００１９】
以下、本発明の実施の形態について説明する。
【００２０】
図１は、本発明のデータ取込装置の一実施形態であるパーソナルコンピュータがＵＳＢケーブルでデジタルカメラに接続される様子を示す図である。
【００２１】
図１には、データを蓄積するストレージ装置としてのデジタルカメラ１が示されている。このデジタルカメラ１の詳細については後述するが、このデジタルカメラ１には、ＵＳＢケーブル３００のＵＳＢコネクタ３０１が接続されるＵＳＢ接続部１７２が備えられている。
【００２２】
また、図１には、ＵＳＢケーブル３００のＵＳＢコネクタ３０２と接続されるＵＳＢ接続部２１４を有し、その接続部２１４へのデジタルカメラ１の、ＵＳＢコネクタ３０２による接続を受けて、デジタルカメラ１から画像データを取り込むパーソナルコンピュータ２が示されている。このパーソナルコンピュータ２は、本体部２１０と、表示画面２２０ａを備えた画像表示装置２２０と、キーボード２３０と、マウス２４０とを有する。本体部２１０には、詳細は後述するが、ＣＰＵ（中央処理装置）、主メモリ（ランダムアクセスメモリ）、ハードディスク、ＵＳＢ通信装置等が内蔵されている。また、この本体部２１０は、外観上、デジタルカメラ１用のドライバソフトウェアが格納されたＣＤ−ＲＯＭ等が装填されるＣＤ−ＲＯＭ装填口２１１と、フレキシブルディスクが装填されるフレキシブルディスク装填口２１２を有しており、それらの内部には、それらの装填口２１１，２１２から装填されたＣＤ−ＲＯＭやフレキシブルディスクをドライブしてアクセスするＣＤ−ＲＯＭドライブやフレキシブルディスクドライブが内蔵されている。さらに、この本体部２１０は、電源スイッチ２１３を有する。
【００２３】
次に、デジタルカメラ１の詳細について説明する。
【００２４】
図２は、図１に示すデジタルカメラの外観図である。図２（ａ）は正面図、図２（ｂ）は上面図、図２（ｃ）は側面図、図２（ｄ）は背面図である。
【００２５】
図２（ａ）〜図２（ｄ）に示すデジタルカメラ１は、被写体の撮影を行なって画像データを生成して蓄積するストレージ装置の一例としてのカメラである。
【００２６】
図２（ａ）に示すように、デジタルカメラ１の正面には、撮影ズームレンズ１１１が備えられている。また、このデジタルカメラ１の上部には、閃光を発光する閃光発光管１６０ａを有する閃光発光装置１６０が配備されている。
【００２７】
さらに、図２（ｄ）に示すように、デジタルカメラ１の背面にはユーザがこのデジタルカメラ１を使用するときに種々の操作を行なうためのキー入力装置１２０が設けられている。このキー入力装置１２０には、デジタルカメラ１を作動させるための電源投入用の電源スイッチ１２１、撮影と再生とを自在に切り替える撮影・再生切替レバー１２２、オート撮影やマニュアル撮影等を選択するための撮影モードダイヤル１２３、各種のメニューの設定や選択あるいはズームを行なうための十字スイッチ１２４、閃光発光用のスイッチ１２５、および十字スイッチ１２４で選択されたメニューの実行を行なうための実行スイッチ１２６ａ，キャンセルを行なうためのキャンセルスイッチ１２６ｂが備えられている。
【００２８】
また、デジタルカメラ１の背面には、撮影画像や再生画像等を表示するための液晶表示装置１４０と、操作の手助けを行なうための表示部１４１が備えられている。
【００２９】
さらに、図２（ｂ）に示すように、このデジタルカメラ１の上面には、キー入力装置１２０を構成するシャッタボタン１２７が配備されている。このシャッタボタン１２７によって撮影の開始指示がデジタルカメラ１の内部に備えられた、後述するＣＰＵへと伝えられる。このデジタルカメラ１では撮影・再生切替レバー１２２によって撮影と再生との切り替えが自在になっていて、撮影を行なうときにはユーザによって撮影・再生切替レバー１２２が撮影側１２２ａに切り替えられ、再生を行なうときには撮影・再生切替レバー１２２が再生側１２２ｂに切り替えられる。
【００３０】
さらに、図２（ｃ）に示すように、デジタルカメラ１の側面には、このデジタルカメラ１により撮影された被写体の画像データをテレビやプロジェクタ等に出力するためのケーブルが接続される映像出力端子１７１と、このデジタルカメラ１により撮影された被写体の画像データを図１に示すパーソナルコンピュータ２に送出するためのＵＳＢ接続部１７２と、ＡＣアダプタからの直流電圧が入力される直流電圧入力端子１７３とが備えられている。
【００３１】
図３は、図２に示すデジタルカメラの回路構成を示すブロック図である。
【００３２】
このデジタルカメラ１には、撮影ズームレンズ１１１と、その撮影ズームレンズ１１１を経由して結像された被写体像をアナログの画像信号に変換する撮像素子１１２が備えられている。また、このデジタルカメラ１には、撮像素子１１２からのアナログの画像信号をガンマ補正，白バランス調整等のアナログ信号処理を行なうアナログ信号処理部１１３と、そのアナログ信号処理部１１３で処理されたアナログの画像信号をデジタルの画像信号にＡ／Ｄ変換するＡ／Ｄコンバータ１１４が備えられている。これら撮影ズームレンズ１１１，撮像素子１１２，アナログ信号処理部１１３，Ａ／Ｄコンバータ１１４から画像入力装置１１０が構成される。
【００３３】
また、このデジタルカメラ１には、Ａ／Ｄコンバータ１１４からの画像信号のデジタル処理を行なうとともに、このデジタルカメラ１全体を制御するＣＰＵ１００が備えられている。また、この図３には、前述したキー入力装置１２０，メモリ１３０，液晶表示装置１４０，ＵＳＢ通信装置装置１５０も示されている。
【００３４】
メモリ１３０は、ＣＰＵ１００でデジタル処理されて生成された画像データを蓄積する。
【００３５】
液晶表示装置１４０は、メモリ１３０に蓄積された画像データに基づく画像やメニュー表示等を行なう。
【００３６】
ＵＳＢ通信装置１５０は、メモリ１３０に蓄積された画像データを図１に示すパーソナルコンピュータ２に送出したり、その他必要なやり取りを行なう。
【００３７】
図４は、デジタルカメラおよびパーソナルコンピュータ双方の概略回路ブロックを示す図である。
【００３８】
図４に示すデジタルカメラ１には、前述したように、ＣＰＵ１００、画像入力装置１１０、キー入力装置１２０、メモリ１３０、液晶表示装置１４０、ＵＳＢ通信装置１５０、および閃光発光装置１６０が備えられている。
【００３９】
一方、パーソナルコンピュータ２には、図１に示す本体部２１０を構成する、各種プログラムを実行するＣＰＵ２０１、ハードディスク装置２０３に格納されたプログラムが読み出されＣＰＵ２０１での実行のために展開される主メモリ２０２、各種プログラムやデータ等が保存されたハードディスク装置２０３、フレキシブルディスク２０４＿１が装填され、その装填されたフレキシブルディスク２０４＿１をアクセスするフレキシブルディスクドライブ２０４、ＣＤ−ＲＯＭ２０５＿１をアクセスするＣＤ−ＲＯＭドライブ２０５、デジタルカメラ１と接続され、そのデジタルカメラ１からの画像データを取り込むＵＳＢ通信装置２０６、および前述した図１に示す画像表示装置２２０，キーボード２３０，マウス２４０が備えられている。これらはバス２１５を介して相互に接続されている。
【００４０】
ここで、ＣＤ−ＲＯＭ２０５＿１には、このパーソナルコンピュータ２を本発明のデータ取込装置の一実施形態として機能させるためのデータ取込プログラム（本発明のデータ取込プログラムの一実施形態に相当）が記憶されており、そのＣＤ−ＲＯＭ２０５＿１はＣＤ−ＲＯＭドライブ２０５に装填され、そのＣＤ−ＲＯＭ２０５＿１に記憶されたデータ取込プログラムがこのパーソナルコンピュータ２にアップロードされてハードディスク装置２０３に記憶される。こうしてパーソナルコンピュータ２は本発明のデータ取込装置の一実施形態として機能する。
【００４１】
ここで、この図４のパーソナルコンピュータ２内で実行されるデータ取込プログラムについて説明する。
【００４２】
図５は、本発明のデータ取込プログラムの一実施形態が記憶されたＣＤ−ＲＯＭを示す概念図である。
【００４３】
図５に示すＣＤ−ＲＯＭ２０５＿１には、データ取込プログラム２０が記憶されており、このデータ取込プログラム２０は、アンマウント手段処理ルーチン部２１および操作受付手段処理ルーチン部２２で構成されている。このデータ取込プログラム２０の詳細については、パーソナルコンピュータ２のデータ取込部の作用と合わせて説明する。
【００４４】
図６は、パーソナルコンピュータのデータ取込部の構成を示す図である。
【００４５】
図６に示すデータ取込部２００には、アンマウント手段２＿１と操作受付手段２＿２が備えられている。
【００４６】
アンマウント手段２＿１は、図５に示すアンマウント手段処理ルーチン部２１のプログラムの作用を受けて動作し、図１に示すＵＳＢ接続部２１４に接続されているデジタルカメラ１からの画像データの取込みの終了を受けて、そのデジタルカメラ１をＵＳＢ接続部２１４から機械的に取外すことが可能なアンマウント状態に移行するように動作する。詳細には、このアンマウント手段２＿１は、デジタルカメラ１からの画像データの取込みの終了を受けて所定時間後にアンマウント状態に移行するように動作する。このため、ユーザは、デジタルカメラ１からの画像データの取込みの終了とアンマウント状態への移行とを確実に区別することができる。
【００４７】
また、操作受付手段２＿２は、図５に示す操作受付手段処理ルーチン部２２のプログラムの作用を受けて動作し、上記所定時間以内の、アンマウント状態の移行を阻止するユーザ操作を受け付けるように動作する。尚、ユーザ操作については後述する。また、上記アンマウント手段２＿１は、このユーザ操作を受けて、アンマウント状態への移行を取り止めるように動作する。このため、ユーザは、デジタルカメラ１からの画像データの取込みが終了した場合であっても、アンマウント状態への移行の取止めを行なうことができる。
本発明のデータ取得装置の一実施形態であるパーソナルコンピュータ２は、デジタルカメラ１からの画像データの取込みの終了を受けてそのデジタルカメラ１をＵＳＢ接続部２１４から機械的に取外すことが可能なアンマウント状態に移行するものであるため、デジタルカメラ１からの画像データの取込み終了後、どのタイミングでデジタルカメラ１を安全に取り外したらよいのかがユーザに判りにくいという問題が解消される。また、デジタルカメラ１を安全に取り外すためのアイコン等をクリックする必要もない。従って、操作性が高まる。
【００４８】
図７は、本発明のデータ取得装置の一実施形態であるパーソナルコンピュータの、アンマウント状態に移行するための処理ルーチンのフローチャートである。
【００４９】
先ず、ステップＳ１において、新たなデジタルカメラが接続されたか否かが判定される。新たなデジタルカメラが接続されていないと判定された場合は、ステップＳ１に戻る。一方、新たなデジタルカメラが接続されたと判定された場合は、ステップＳ２に進む。
【００５０】
ステップＳ２では、デジタルカメラからの画像データが自動的に転送される自動転送モードか否かが判定される。自動転送モードではないと判定された場合はステップＳ３に進む。ステップＳ３では、後述する取り込みの設定画面を表示してステップＳ４に進む。ステップＳ４では、目的のファイル（画像データ）を取り込む。次に、ステップＳ５において、後述する取外し画面を表示してステップＳ６に進む。
【００５１】
ステップＳ６では、「取外し」をクリックしたか否かが判定される。「取外し」をクリックしたと判定された場合はステップＳ７に進む。ステップＳ７では、デジタルカメラをアンマウント状態にし、取外し可能とする。一方、「取外し」をクリックしていないと判定された場合はステップＳ８に進む。
【００５２】
ステップＳ８では、「キャンセル」をクリックしたか否かが判定される。「キャンセル」をクリックしたと判定された場合はステップＳ１に戻る。一方、「キャンセル」をクリックしていないと判定された場合はステップＳ６に戻る。
【００５３】
また、前述してステップＳ２において、自動転送モードであると判定された場合はステップＳ１１に進む。ステップＳ１１では、後述する取込カウントダウン画面を表示してステップＳ１２に進む。
【００５４】
ステップＳ１２では、「設定画面を表示」をクリックしたか否かが判定される。「設定画面を表示」をクリックしたと判定された場合は前述したステップＳ３に戻る。一方、「設定画面を表示」をクリックしていないと判定された場合はステップＳ１３に進む。
【００５５】
ステップＳ１３では、「転送開始」をクリックしたか否かが判定される。「転送開始」をクリックしたと判定された場合は後述するステップＳ１５に進む。一方、「転送開始」をクリックしていないと判定された場合はステップＳ１４に進む。
【００５６】
ステップＳ１４では、まだ１０秒経過していないか否かが判定される。まだ１０秒経過していないと判定された場合はステップＳ１２に戻る。一方、１０秒経過していると判定された場合はステップＳ１５に進む。ステップＳ１５では、目的のファイルを取り込んでステップＳ１６に進む。
【００５７】
ステップＳ１６では、アンマウント状態のカウントダウン画面を表示する。次に、ステップＳ１７において、「キャンセル」をクリックしたか否かが判定される。「キャンセル」をクリックしたと判定された場合はステップＳ１に戻る。一方、「キャンセル」をクリックしていないと判定された場合はステップＳ１８に進む。
【００５８】
ステップＳ１８では、まだ１０秒経過していないか否かが判定される。まだ１０秒経過していないと判定された場合はステップＳ１７に戻る。一方、１０秒経過していると判定された場合はステップＳ１９に進む。ステップＳ１９では、デジタルカメラをアンマウント状態にし、取外し可能としてステップＳ１に戻る。
【００５９】
図８は、本発明のデータ取得装置の一実施形態であるパーソナルコンピュータの、図７に示す処理ルーチンで実行される画面表示を示した図である。
【００６０】
先ず、自動転送モードではない場合について説明する。新たなデジタルカメラが接続されると設定画面Ａが表示される。ここで、「次へ」をクリックする。すると、画像の取得状態を示す画面Ｂが表示されて画像データが取り込まれる。
【００６１】
画像データの取り込みが終了すると、取外し画面Ｃが表示される。ここで「取外し」をクリックすると「完了メッセージ」が表示されデジタルカメラがアンマウント状態にされて取外し可能になる。尚、後で取り外す場合は「キャンセル」をクリックする。
【００６２】
次に、本実施形態の特徴である自動転送モードについて説明する。新たなデジタルカメラが接続されると、取込カウントダウン画面Ｅが表示される。ここで、１０秒間経過後、前述した画像取得状態を示す画面Ｂが表示される。また、１０秒未満で「転送開始」をクリックしても画面Ｂが表示される。尚、１０秒未満で「設定画面を表示」をクリックした場合は、前述した設定画面Ａが表示される。
【００６３】
画面Ｂにおいて画像の取得状態が表示されて画像データの取り込みが終了すると、取外し画面Ｄが表示され１０秒経過後に取外し可能に遷移する。具体的には「完了メッセージ」が表示される。尚、後で取り外す場合は「キャンセル」をクリックする。このように、自動転送モードでは、新たなデジタルカメラを接続するのみで、そのデジタルカメラから画像データを自動的に取り込み、取込みが終了すると、そのデジタルカメラを安全に取り外すことができる取外し可能に遷移する。
【００６４】
尚、本実施形態では、ＵＳＢ規格に準拠した例で説明したが、これに限られるものではなく、本発明のデータ取込装置は、ＩＥＥＥ１３９４規格等の有線インターフェース規格に準拠した接続部を有するものであればよい。
【００６５】
また、本実施形態では、ストレージ装置としてデジタルカメラの例で説明したが、カメラ付き携帯電話やビデオカメラ、あるいはカードリーダ機器等であってもよい。
【図面の簡単な説明】
【００６６】
【図１】本発明のデータ取込装置の一実施形態であるパーソナルコンピュータがＵＳＢケーブルでデジタルカメラに接続される様子を示す図である。
【図２】図１に示すデジタルカメラの外観図である。
【図３】図２に示すデジタルカメラの回路構成を示すブロック図である。
【図４】デジタルカメラおよびパーソナルコンピュータ双方の概略回路ブロックを示す図である。
【図５】本発明のデータ取込プログラムの一実施形態が記憶されたＣＤ−ＲＯＭを示す概念図である。
【図６】パーソナルコンピュータのデータ取込部の構成を示す図である。
【図７】本発明のデータ取得装置の一実施形態であるパーソナルコンピュータの、アンマウント状態に移行するための処理ルーチンのフローチャートである。
【図８】本発明のデータ取得装置の一実施形態であるパーソナルコンピュータの、図７に示す処理ルーチンで実行される画面表示を示した図である。
【符号の説明】
【００６７】
１  デジタルカメラ
２  パーソナルコンピュータ
２＿１  アンマウント手段
２＿２  操作受付手段
２０  データ取込プログラム
２１  アンマウント手段処理ルーチン部
２２  操作受付手段処理ルーチン部
１００，２０１  ＣＰＵ
１１０  画像入力装置
１１１  撮影ズームレンズ
１１２  撮像素子
１１３  アナログ信号処理部
１１４  Ａ／Ｄコンバータ
１２０  キー入力装置
１２１  電源スイッチ
１２２  撮影・再生切替レバー
１２３  撮影モードダイヤル
１２４  十字スイッチ
１２５  閃光発光用のスイッチ
１２６ａ  実行スイッチ
１２６ｂ  キャンセルスイッチ
１２７  シャッタボタン
１３０  メモリ
１４０  液晶表示装置
１５０、２０６  ＵＳＢ通信装置
１６０  閃光発光装置
１７２，２１４  ＵＳＢ接続部
２００  データ取込部
２０２  主メモリ
２０３  ハードディスク装置
２０４  フレキシブルディスクドライブ
２０４＿１  フレキシブルディスク
２０５  ＣＤ−ＲＯＭドライブ
２０５＿１  ＣＤ−ＲＯＭ
２１０  本体部
２１１  ＣＤ−ＲＯＭ装填口
２１２  フレキシブルディスク装填口
２１３  電源スイッチ
２１５  バス
２２０  画像表示装置
２２０ａ  表示画面
２３０  キーボード
２４０  マウス
３００  ＵＳＢケーブル
３０１，３０２  ＵＳＢコネクタ
【図１】
2006209537.tif 000003
【図２】
2006209537.tif 000004
【図３】
2006209537.tif 000005
【図４】
2006209537.tif 000006
【図５】
2006209537.tif 000007
【図６】
2006209537.tif 000008
【図７】
2006209537.tif 000009
【図８】
2006209537.tif 000010